(57)【要約】      （修正有）【課題】端子の形状や位置を統一させ易く、錫めっきを施さなくても半田ブロック周辺の錆びを防止することのできるフィルタ装置を提供する。【解決手段】天板２１と、天板２１の周縁から下方へ延設され、中空部を形成する周壁２２とを有するハウジング２と、周壁２２の突起先端面に配置され、ハウジング２の開口の外側へ延伸する複数の端子３とを有する。さらに、天板２１の下面に配置されるフィルタコイル４とフィルタコイル４と端子３の各々とを電気的に接続する複数本のリード４２と、周壁２２の突起先端面上で、リード４２と、端子３とを各々固定する複数の半田ブロック３１１とを備えてフィルタ装置６を構成する。ハウジング２の中空部２４に充填され、半田ブロック３１１を被覆する電気的絶縁材料５を備えることができる。【選択図】図４
0003172887.tif 000002
【実用新案登録請求の範囲】
【請求項１】
天板と、該天板の周縁から下方へ延設され、中空部を形成する周壁とを有するハウジングと、
該周壁の突起先端面に配置され、前記ハウジングの開口の外側へ延伸する複数の端子と、
前記天板の下面に配置されるフィルタコイルと、
該フィルタコイルと、前記端子の各々とを電気的に接続する複数本のリードと、
前記周壁の突起先端面上で、前記リードと、前記端子とを各々固定する複数の半田ブロックとを備えることを特徴とするフィルタ装置。
【請求項２】
前記ハウジングの中空部に充填され、前記半田ブロックを被覆する電気的絶縁部材を備えることを特徴とする請求項１に記載のフィルタ装置。
【請求項３】
前記周壁の突起先端面の外周縁に配置される複数の第１の突起と、
該第１の突起の間に各々形成される複数の第１の谷間とを備え、
前記端子は、該第１の谷間に各々配置され、
前記半田ブロックは、前記第１の谷間より内側に各々配置されることを特徴とする請求項１又は２に記載のフィルタ装置。
【請求項４】
前記各谷間より内側に形成され、外側から内側に向かって徐々に前記天板に近接するように傾斜する斜面を備えることを特徴とする請求項１、２又は３に記載のフィルタ装置。
【請求項５】
前記端子は、前記周壁内に固定される固定部と、前記周壁の突起先端面に当接するリード接続部と、該リード接続部から、前記開口の外側へ延伸する端子部とを備えることを特徴とする請求項１乃至４のいずれかに記載のフィルタ装置。
【請求項６】
前記周壁の突起先端面の内周縁に、前記第１の突起の各々と相対向するように形成される複数の第２の突起と、
前記第２の突起の間に各々形成される複数の第２の谷間を備え、
前記半田ブロックは、前記第１の谷間と、前記第２の谷間との間に、各々配置されることを特徴とする請求項３、４又は５に記載のフィルタ装置。
【考案の詳細な説明】
【技術分野】
【０００１】
本考案は、フィルタ装置に関し、特に、端子の形状や位置を統一させ易いフィルタ装置に関する。
【背景技術】
【０００２】
従来のフィルタ装置として、例えば、図１及び図２に示されているものがある。図１は、該従来のフィルタ装置を下方から見た斜視図であり、図２は、図１に示すフィルタ装置の断面図である。
【０００３】
図示のように、従来のフィルタ装置１は、天板１２と、天板１２の周縁から下方へ突出して突起先端面１３１を形成し、かつ突起先端面１３１側で下方へ開口する中空部１５を囲んでいる周壁１３とを有するハウジング１１と、突起先端面１３１にハウジング１１の開口の外側へ延伸するように取り付けられている複数の端子１８と、天板１２の下面に固定されているフィルタコイル１９と、フィルタコイル１９と各端子１８を電気的に接続している複数本のリード１９２とで構成される。
【０００４】
より詳しくは、突起先端面１３１の内側に、複数の突起ブロック１６が互いに間隙１７をあけて形成され、各端子１８は、突起先端面１３１内に嵌め込まれ、各間隙１７に各々固定されている。
【０００５】
フィルタコイル１９と、各端子１８とを電気的に接続する各リード１９２は、各端子１８の突起先端面１３１より外側の位置に形成された半田ブロック１８４により、各端子１８に固定されている。さらに、中空部１５には、電気的絶縁材料１０が充填されている。
【考案の概要】
【考案が解決しようとする課題】
【０００６】
上記構成を有するフィルタ装置１は、各リード１９２が、各端子１８の突起先端面１３１より外側の位置に形成された半田ブロック１８４により各端子１８に固定されているので、半田ブロック１８４が形成されるとき、端子１８の、突起先端面１３１より外側で周壁１３により支持されない位置が、半田ごてのこて先と接触するので、端子１８が湾曲して形状や位置にばらつきが生じるといった欠点が生じ易い。
【０００７】
また、半田ブロック１８４は、突起ブロック１６よりも外側に存在するため、ハウジング１１の天板１２と、周壁１３とにより囲まれる中空部１５に充填される電気的絶縁材料１０で半田ブロック１８４を覆うことができない。そこで、半田ブロック１８４が露出し、大気と接触して錆びることを防止するため、各端子１８の電気的絶縁材料１０により覆われない基端部１８１にさらに錫めっきを施す必要がある。
【０００８】
そこで、本考案は、端子の形状や位置を統一させ易く、錫めっきを施さなくても半田ブロック周辺の錆びを防止することのできるフィルタ装置を提供することを目的とする。
【課題を解決するための手段】
【０００９】
上記目的を達成すべく、本考案は、天板と、該天板の周縁から下方へ延設され、中空部を形成する周壁とを有するハウジングと、該周壁の突起先端面に配置され、前記ハウジングの開口の外側へ延伸する複数の端子と、前記天板の下面に配置されるフィルタコイルと、該フィルタコイルと、前記端子の各々とを電気的に接続する複数本のリードと、前記周壁の突起先端面上で、前記リードと、前記端子とを各々固定する複数の半田ブロックとを備えることを特徴とするフィルタ装置を提供する。
【００１０】
上記フィルタ装置において、前記ハウジングの中空部に充填され、前記半田ブロックを被覆する電気的絶縁部材を備えることが好ましい。
【００１１】
上記フィルタ装置において、前記周壁の突起先端面の外周縁に配置される複数の第１の突起と、該第１の突起の間に各々形成される複数の第１の谷間とを備え、前記端子は、該第１の谷間に各々配置され、前記半田ブロックは、前記第１の谷間より内側に各々配置されていることが好ましい。
【００１２】
上記フィルタ装置において、前記各谷間より内側に形成され、外側から内側に向かって徐々に前記天板に近接するように傾斜する斜面を備えることが好ましい。
【００１３】
上記フィルタ装置において、前記端子は、前記周壁内に固定される固定部と、前記周壁の突起先端面に当接するリード接続部と、該リード接続部から、前記開口の外側へ延伸する端子部とを備えることが好ましい。
【００１４】
前記フィルタ装置において、前記周壁の突起先端面の内周縁に、前記第１の突起の各々と相対向するように形成される複数の第２の突起と、前記第２の突起の間に各々形成される複数の第２の谷間を備え、前記半田ブロックは、前記第１の谷間と、前記第２の谷間との間に、各々配置されるように構成することもできる。
【考案の効果】
【００１５】
上記構成により、本考案のフィルタ装置は、フィルタコイルと各端子を電気的に接続し、複数本のリードを各端子に固定する半田ブロックが、周壁の先端面に形成されるので、半田ブロックを形成するときに、半田ごてのこて先と接触する際、各端子は周壁の先端面により支持されているので湾曲し難く、端子の形状や位置を統一させ易い。
【００１６】
また、周壁の先端面の外周縁を、複数の第１の突起と、複数の第１の谷間とが入れ替わるよう形成し、前記各端子を、前記谷間に各々配置し、各半田ブロックを、各谷間より内側の部分に配置することによって、電気的絶縁材料でハウジングを充填する際、各半田ブロックは、複数の第１の突起の間にある第１の谷間よりも内側の部分に配置されるので、ハウジング内に注入される電気的絶縁材料は、各半田ブロックまでも覆うことができ、錫めっきを施す必要もなくなる。
【図面の簡単な説明】
【００１７】
【図１】従来フィルタ装置の構成例を示す斜視図である。
【図２】従来フィルタ装置の構成例を示す断面図である。
【図３】本考案のフィルタ装置の第１の実施形態を下方から見た状態を示す斜視図である。
【図４】本考案のフィルタ装置の第１の実施形態を示す断面図である。
【図５】本考案のフィルタ装置の第１の実施形態を示す断面図である。
【図６】本考案のフィルタ装置の第２の実施形態を下方から見た状態を示す一部斜視図である。
【図７】本考案のフィルタ装置の第２の実施形態を示す断面図である。
【考案を実施するための形態】
【００１８】
次に、本考案にかかるフィルタ装置の実施の形態について図面を参照しながら詳細に説明する。
【００１９】
図３〜図５は、本考案に係るフィルタ装置の第１の実施形態を示し、図３は、フィルタ装置を下方から見た斜視図であり、図４及び図５は、図３に示すフィルタ装置の断面図である。
【００２０】
図示のように、本考案の第１の実施形態に係るフィルタ装置６は、ハウジング２と、複数の端子３と、複数（この実施形態では４つ）のフィルタコイル４と、複数本のリード４２とを備えている。
【００２１】
ハウジング２は、長方形に形成された天板２１と、天板２１の周縁から下方へ突出して突起先端面２２１を形成し、かつ突起先端面２２１側で下方へ開口する中空部２４を囲む周壁２２とを有する。
【００２２】
複数の端子３は、天板２１の長辺に対応する長手壁２３の先端部分の内側から外側へ延伸するように、突起先端面２２１に各々取り付けられている。
【００２３】
各フィルタコイル４は、天板２１の下面、すなわち開口に対向する面に配置される金属リング４０と、金属リング４０に巻回されているコイル４１とを有している。
【００２４】
リード４２は、各フィルタコイル４のコイル４１と、各端子３とを電気的に接続するために設けられ、各リード４２は、周壁２２の突起先端面２２１に形成された半田ブロック３１１により、対応する端子３に各々固定されている。
【００２５】
この実施形態において、周壁２２の突起先端面２２１の外周縁に、複数の第１の突起２５と複数の谷間２６とを入れ替わりに配置しており、各端子３は、各谷間２６を通過するように配置され、各半田ブロック３１１は、各谷間２６より内側に位置する平面部分２２４に形成される。
【００２６】
周壁２２の突起先端面２２１において、各谷間２６に対応し、かつ平面部分２２４より延伸するさらに内側の部分に、外側から内側に向かって傾斜する斜面２２５が形成される。
【００２７】
各端子３は、周壁２２の突起先端面２２１に挿し込まれる固定部３２と、周壁２２の突起先端面２２１に当接するリード接続部３１と、リード接続部３１から開口の外側へ延伸して露出する端子部３３とを備える。
【００２８】
リード４２は、図４に示すように、コイル４１と電気的に接続し、天板２１の下面に沿って周壁２２の基部まで水平に延伸し、周壁２２の内壁面２２２に沿って斜面２２５まで垂直に延伸し、斜面２２５を経由して各端子３のリード接続部３１に到達し、各谷間２６より内側の平面部分２２４に対応する位置で、各半田ブロック３１１により各端子３に固定される。
【００２９】
この実施形態において、端子部３３は、リード接続部３１に対して直角に湾曲する第１の湾曲部３３１と、第１の湾曲部３３１から下方へ垂直に延伸する垂直部３３２と、垂直部３３２に対して直角に湾曲する第２の湾曲部３３３と、第２の湾曲部３３３から左方又は右方へ水平に延伸する水平部３３４とを有する。
【００３０】
さらに、図４、図５に示すように、ハウジング２の中空部２４は、例えば、絶縁バーニッシュや、シリコーンなどを使用する電気的絶縁材料５により、各半田ブロック３１１をも覆うように充填される。本考案は、周壁２２の突起先端面２２１の外周縁に、複数の第１の突起２５を配置したため、ハウジング２内に注入される電気的絶縁材料５は、各半田ブロック３１１をも覆うまで充填されて固化することができる。
【００３１】
図６〜図７は、本考案のフィルタ装置の第２の実施形態を示しており、図６は、該フィルタ装置を下方から見た斜視図であり、図７は、図６に示すフィルタ装置の断面図である。
【００３２】
図示のように、本考案のフィルタ装置の第２の実施形態は、第１の実施形態と類似する構成を有するが、この実施形態では、周壁２２の突起先端面２２１の内周縁に、各第１の突起２５と向き合うように対応する複数の第２の突起２７が形成されている。
【００３３】
各半田ブロック３１１は、突起先端面２２１の内周縁と外周縁との間にある平面部分２２４に並列に配置されると共に、各谷間２６の隣に配置される。
【産業上の利用可能性】
【００３４】
上記構成により、本考案のフィルタ装置において、フィルタコイル４と各端子３を電気的に接続するため、複数本のリード４２を各端子３に固定する半田ブロック３１１は、周壁２２の突起先端面２１１において、各谷間２６より内側の平面部分２２４に形成されるので、半田ブロック３１１を形成するときに、半田ごてのこて先と接触する際、各端子３は、周壁２２の突起先端面２２１により支持されているので湾曲し難く、端子の形状や位置を統一させ易い。
【００３５】
また、周壁２２の突起先端面２２１の外周縁を、複数の第１の突起２５と、複数の谷間２６とが入れ替わるよう形成し、各端子３を、谷間２６に各々配置し、各半田ブロック３１１を、各谷間２６より内側の平面部分２２４に配置することによって、電気的絶縁材料５でハウジング２を充填する際、各半田ブロック３１１は、複数の第１の突起の間にある第１の谷間よりも内側の部分に配置されているので、ハウジング２内に注入される電気的絶縁材料５は、各半田ブロック３１１までも覆うようになり、錫めっきを施す必要もなくなる。
【００３６】
従って、本考案は、端子３の形状や位置を統一させ易く高品質なフィルタ装置を提供できると共に、半田ブロック３１１に対して錫めっきを施す必要がなく、コストを節約することも可能である。
【符号の説明】
【００３７】
２  ハウジング
２１  天板
２２  周壁
２２１  突起先端面
２２２  内壁面
２２４  平面部分
２２５  斜面
２３  長手壁
２４  中空部
２５  第１の突起
２６  複数の谷間
２７  第２の突起
３  端子
３１  リード接続部
３１１  半田ブロック
３２  固定部
３３  端子部
３３１  第１の湾曲部
３３２  垂直部
３３３  第２の湾曲部
３３４  水平部
４  フィルタコイル
４０  金属リング
４１  コイル
４２  リード
５  電気的絶縁材料
６  フィルタ装置
【図１】
0003172887.tif 000003
【図２】
0003172887.tif 000004
【図３】
0003172887.tif 000005
【図４】
0003172887.tif 000006
【図５】
0003172887.tif 000007
【図６】
0003172887.tif 000008
【図７】
0003172887.tif 000009